(57)【特許請求の範囲】
【請求項１】
容器本体及びアダプタを備え、ポンプを装着可能であるレフィル容器であって、
前記容器本体は、
内容物を収容するための収容空間を内部に有する胴部と、
前記胴部から延びており、前記収容空間に連通する開口部を有するとともに、前記ポンプを装着可能である口部と、
を有し、
前記アダプタは、
前記ポンプを挿入可能であるポンプ挿入口が前記開口部側の端部に形成されるとともに、前記ポンプを収容するポンプ収容空間が内側に形成されており、前記口部に配置され、前記開口部から前記収容空間内に向けて延びるアダプタ本体と、
前記アダプタ本体の端部のうち前記ポンプ挿入口とは反対側の端部に形成され、前記ポンプ収容空間に連通可能である吸引口と、
前記ポンプ収容空間と前記吸引口を連通させない位置である閉位置から、連通させる位置である開位置に切り替え可能であり、前記ポンプを装着することで前記閉位置から前記開位置に切り替えられる栓と、
前記アダプタ本体の側部に形成され、前記収容空間と前記ポンプ収容空間を連通させる通気孔と、
を有し、
前記アダプタに装着可能な前記ポンプは、
前記ポンプ収容空間に収容されるシリンダと、
前記シリンダの側部に形成される外気導入孔と、
を有し、
前記通気孔は、前記ポンプ収容空間に前記ポンプが収容された状態で、前記外気導入孔に対向する位置に形成され、前記外気導入孔に連通し、
前記シリンダ及び／又は前記アダプタは、前記ポンプ収容空間に前記ポンプが収容された状態で、前記外気導入孔及び前記通気孔の周囲において気密性を保つ気密部を有する、
レフィル容器。
【請求項２】
請求項１に記載のレフィル容器であって、
前記シリンダ及び／又は前記アダプタは、前記ポンプ収容空間に前記ポンプが収容された状態で、前記通気孔が前記外気導入孔に対向するように位置決めする位置決め部を有する、
レフィル容器。
【請求項３】
容器本体及びアダプタを備え、ポンプを装着可能であるレフィル容器であって、
前記容器本体は、
内容物を収容するための収容空間を内部に有する胴部と、
前記胴部から延びており、前記収容空間に連通する開口部を有するとともに、前記ポンプを装着可能である口部と、
を有し、
前記アダプタは、
前記ポンプを挿入可能であるポンプ挿入口が前記開口部側の端部に形成されるとともに、前記ポンプを収容するポンプ収容空間が内側に形成されており、前記口部に配置され、前記開口部から前記収容空間内に向けて延びるアダプタ本体と、
前記アダプタ本体の端部のうち前記ポンプ挿入口とは反対側の端部に形成され、前記ポンプ収容空間に連通可能である吸引口と、
前記ポンプ収容空間と前記吸引口を連通させない位置である閉位置から、連通させる位置である開位置に切り替え可能であり、前記ポンプを装着することで前記閉位置から前記開位置に切り替えられる栓と、
前記アダプタ本体の側部に形成され、前記収容空間と前記ポンプ収容空間を連通させる通気孔と、
を有し、
前記アダプタに装着可能な前記ポンプは、
前記ポンプ収容空間に収容されるシリンダと、
前記シリンダの側部に形成される外気導入孔と、
を有し、
前記シリンダ及び／又は前記アダプタは、
前記ポンプ収容空間に前記ポンプが収容された状態で、前記アダプタの内面と前記シリンダの外面との間に前記外気導入孔から前記通気孔に至るように形成され、前記外気導入孔及び前記通気孔を連通させる外気導入路と、
前記ポンプ収容空間に前記ポンプが収容された状態で、前記外気導入路の周囲において気密性を保つ気密部を有する、
レフィル容器。
【請求項４】
容器本体及びアダプタを備え、ポンプを装着可能であるレフィル容器であって、
前記容器本体は、
内容物を収容するための収容空間を内部に有する胴部と、
前記胴部から延びており、前記収容空間に連通する開口部を有するとともに、前記ポンプを装着可能である口部と、
を有し、
前記アダプタは、
前記ポンプを挿入可能であるポンプ挿入口が前記開口部側の端部に形成されるとともに、前記ポンプを収容するポンプ収容空間が内側に形成されており、前記口部に配置され、前記開口部から前記収容空間内に向けて延びるアダプタ本体と、
前記アダプタ本体の端部のうち前記ポンプ挿入口とは反対側の端部に形成され、前記ポンプ収容空間に連通可能である吸引口と、
前記ポンプ収容空間と前記吸引口を連通させない位置である閉位置から、連通させる位置である開位置に切り替え可能であり、前記ポンプを装着することで前記閉位置から前記開位置に切り替えられる栓と、
前記アダプタ本体の側部に形成され、前記収容空間と前記ポンプ収容空間を連通させる通気孔と、
を有し、
前記アダプタに装着可能な前記ポンプは、
前記ポンプ収容空間に収容されるシリンダと、
前記シリンダの側部に形成される外気導入孔と、
を有し、
前記アダプタは、さらに、
前記アダプタの内側から前記通気孔を介して前記アダプタの外側に向かう方向の通気を許容し、逆方向の通気を制限する逆止弁と、
前記アダプタの外面において前記通気孔に重なる位置に形成され、前記逆止弁を収容する逆止弁収容凹部と、
を有する、
レフィル容器。
【請求項５】
請求項４に記載のレフィル容器であって、
前記逆止弁収容凹部は、前記通気孔の周囲に形成される平坦な面である接触面を有し、
前記逆止弁は、前記接触面に接触して気密性を保つ弁部を有する、
レフィル容器。
【請求項６】
請求項１から５のいずれか１項に記載のレフィル容器であって、
前記口部の前記開口部を閉塞する仮キャップを備え、
前記仮キャップは、前記口部に取り付けた状態で、前記アダプタの内面に接触し、前記通気孔を閉塞するインナーリングを備える、
レフィル容器。
【請求項７】
請求項１から６のいずれか１項に記載のレフィル容器にポンプを装着した、
ポンプ容器。
【発明の詳細な説明】
【技術分野】
【０００１】
本発明は、レフィル容器及びポンプ容器に関する。より詳細には、ポンプを再利用することが可能なポンプ容器、及び、再利用したポンプを取り付けるためのレフィル容器に関する。
【背景技術】
【０００２】
従来、ポンプを再利用することが可能なポンプ容器、及び、再利用したポンプを取り付けるためのレフィル容器は公知である。
【０００３】
例えば、特開２０１１−１５２９４８号公報には、再利用したポンプを取り付けるためのレフィル容器、及びレフィル容器にポンプを取り付けたポンプ容器が開示されている。ポンプ容器は、容器本体（容器体）、アダプタ（筒部材）、及びポンプを備えている。容器本体は、例えば乳液状の化粧料のように流動性を有する内容物を収容する。ポンプは、使用者が操作することで内容物を吐出する。容器本体に収容されていた内容物を使い切った後、空の容器本体からポンプを取り外し、新たなレフィル容器にポンプを付け替えることでポンプを再利用することができる。
【０００４】
ところで、ポンプのシリンダには外気導入孔が形成されている。外気導入孔は、外気を容器本体内に導入して容器本体内の負圧化を解消するための孔である。容器本体内が負圧化すると、ポンプによる内容物の吐出量が減少する場合や、内容物を吐出できなくなる場合がある。外気導入孔は、ポンプを作動させる際に開閉して外気を容器本体内に導入し、容器本体内の負圧化を解消する。
【０００５】
しかしながら、特開２０１１−１５２９４８号公報に開示されているポンプ容器では、ポンプのシリンダはアダプタに収容されている。このためシリンダの外気導入孔から導入された外気は容器本体内ではなく、一旦アダプタ内に導入される。特開２０１１−１５２９４８号公報に開示されているポンプ容器では、アダプタ内に導入された外気を容器本体内に導入するため、アダプタのフランジに通気孔が形成されている。
【０００６】
アダプタに形成される通気孔は、外気を容器本体内に導入するために必要であるものの、容器本体の内部と外部を連通させる孔であるため、内容物が通気孔を通って漏出する場合がある。特開２０１１−１５２９４８号公報のポンプ容器では、通気孔はアダプタのフランジに形成されているため、例えば、ポンプ容器を斜めに傾斜させて使用した場合や、鞄等に横向きに寝かせた状態で収納した場合に、通気孔から内容物が漏出するおそれがある。通気孔から漏出した内容物は、ポンプのシリンダ外部に付着する場合がある。
【０００７】
容器本体から漏出してポンプのシリンダ外部に付着した内容物は、ポンプを再利用する場合に外気に触れるため、変質したり、塵挨や雑菌が付着するおそれがある。このため、ポンプを付け替えた新たなレフィル容器内の内容物に悪影響を及ぼすおそれがある。
【０００８】
実開平５−５４３０９号公報に開示されているポンプ容器は、アダプタの通気孔を塞ぐ逆止弁を有している。逆止弁は、軟弾性材製のゴム皮膜であり、フランジと筒状部を有している。フランジは容器本体の口部に載置される部分である。筒状部は、フランジから連続しており、アダプタの外壁に沿って下向きに延びる部分である。筒状部は、通気孔の外周を被覆しており、容器本体内部の減圧により通気孔を開放するように形成されている。逆止弁を設けることにより、内容物が容器本体の外部に漏出することを抑制し、ポンプのシリンダ外部に内容物が付着することを抑制することができる。
【先行技術文献】
【特許文献】
【０００９】
【特許文献１】特開２０１１−１５２９４８号公報
【特許文献２】実開平５−５４３０９号公報
【発明の概要】
【発明が解決しようとする課題】
【００１０】
しかしながら、実開平５−５４３０９号公報に開示されているポンプ容器では、逆止弁はフランジ及び筒状部を有している。逆止弁を取り付ける空間を確保するため、容器本体の口部とアダプタとの間の空間を広くする必要がある。容器本体の口部とアダプタとの間に空間を設けるため、アダプタを細くすると、ポンプを付け替える際にアダプタにポンプを挿入しにくくなる。また、アダプタを細くすると、シリンダが細く吐出量が少ないポンプしか使用することができず、ポンプ容器の用途が限定される。
【００１１】
本発明は、アダプタの通気孔から内容物が漏出して、ポンプのシリンダ外部に内容物が付着することを抑制しつつ、ポンプの付け替えが容易で、かつ、広い用途に使用することができるレフィル容器及びポンプ容器を提供することを目的とする。
【課題を解決するための手段】
【００１２】
本発明のレフィル容器は、容器本体及びアダプタを備え、ポンプを装着可能であるレフィル容器であって、容器本体は、内容物を収容するための収容空間を内部に有する胴部と、胴部から延びており、収容空間に連通する開口部を有するとともに、ポンプを装着可能である口部と、を有し、アダプタは、ポンプを挿入可能であるポンプ挿入口が開口部側の端部に形成されるとともに、ポンプを収容するポンプ収容空間が内側に形成されており、口部に配置され、開口部から収容空間内に向けて延びるアダプタ本体と、アダプタ本体の端部のうちポンプ挿入口とは反対側の端部に形成され、ポンプ収容空間に連通可能である吸引口と、ポンプ収容空間と吸引口を連通させない位置である閉位置から、連通させる位置である開位置に切り替え可能であり、ポンプを装着することで閉位置から開位置に切り替えられる栓と、アダプタ本体の側部に形成され、収容空間とポンプ収容空間を連通させる通気孔と、を有し、アダプタに装着可能なポンプは、ポンプ収容空間に収容されるシリンダと、シリンダの側部に形成される外気導入孔と、を有し、通気孔は、ポンプ収容空間にポンプが収容された状態で、外気導入孔に対向する位置に形成され、外気導入孔に連通し、シリンダ及び／又はアダプタは、ポンプ収容空間にポンプが収容された状態で、外気導入孔及び通気孔の周囲において気密性を保つ気密部を有する。
【００１３】
本発明のポンプ容器は、本発明のレフィル容器にポンプを装着する。
【発明の効果】
【００１４】
本発明のレフィル容器、及びポンプ容器によれば、通気孔は、ポンプ収容空間にポンプが収容された状態で、外気導入孔に対向する位置に形成され、外気導入孔に連通する。シリンダの外面とアダプタの内面は、ポンプ収容空間にポンプが収容された状態で、気密部によって気密性が保たれる。このため、ポンプを取り付けた状態において、外気導入孔から通気孔への通気は許容され、容器本体内の負圧化を解消できる。また、外気導入孔及び通気孔の周囲は気密部で気密が保たれているため、通気孔から気密部を越えて内容物が漏出することを抑制でき、ポンプのシリンダ外部に気密部を越えて内容物が付着することを抑制することができる。さらに、逆止弁が不要であるため、容器本体の口部とアダプタとの間の差を小さくでき、アダプタの内径を広くすることができる。このため、ポンプの付け替えを容易に行うことができる。また、アダプタの内径が広くなることにより吐出量の多いポンプであっても使用することができるため、広い用途に使用することができる。
【図面の簡単な説明】
【００１５】
【図１】図１は、本発明の実施形態１に係るレフィル容器の正面図である。
【図２】図２は、本発明の実施形態１に係るポンプ容器の正面図である。
【図３】図３は、レフィル容器の正面断面図である。
【図３Ａ】図３Ａは、図３のＡ―Ａ線における断面図である。
【図４】図４は、レフィル容器にポンプを取り付ける前の状態を示す正面断面図である。
【図４Ａ】図４Ａは、図４のＢ−Ｂ線における断面図である。
【図５】図５は、レフィル容器にポンプを取り付けてポンプ容器を構成した状態を示す正面断面図である。
【図６】図６は、ポンプを操作して内容物を吐出する状態を示す正面断面図である。
【図７】図７は、内容物を吐出した後の状態を示す正面断面図である。
【図８】図８は、本発明の実施形態２に係るレフィル容器にポンプを取り付けてポンプ容器を構成した状態を示す正面断面図である。
【図９】図９は、本発明の実施形態３に係るレフィル容器にポンプを取り付けてポンプ容器を構成した状態を示す正面断面図である。
【図９Ａ】図９Ａは、図９のＣ−Ｃ線におけるシリンダ及びアダプタの断面図である。
【図１０】図１０は、本発明の実施形態４に係るレフィル容器にポンプを取り付けてポンプ容器を構成した状態を示す正面断面図である。
【発明を実施するための形態】
【００１６】
本発明の一実施形態にかかるレフィル容器は、容器本体及びアダプタを備え、ポンプを装着可能であるレフィル容器であって、
容器本体は、
内容物を収容するための収容空間を内部に有する胴部と、
胴部から延びており、収容空間に連通する開口部を有するとともに、ポンプを装着可能である口部と、
を有し、
アダプタは、
ポンプを挿入可能であるポンプ挿入口が開口部側の端部に形成されるとともに、ポンプを収容するポンプ収容空間が内側に形成されており、口部に配置され、開口部から収容空間内に向けて延びるアダプタ本体と、
アダプタ本体の端部のうちポンプ挿入口とは反対側の端部に形成され、ポンプ収容空間に連通可能である吸引口と、
ポンプ収容空間と吸引口を連通させない位置である閉位置から、連通させる位置である開位置に切り替え可能であり、ポンプを装着することで閉位置から開位置に切り替えられる栓と、
アダプタ本体の側部に形成され、収容空間とポンプ収容空間を連通させる通気孔と、
を有し、
アダプタに装着可能なポンプは、
ポンプ収容空間に収容されるシリンダと、
シリンダの側部に形成される外気導入孔と、
を有し、
通気孔は、ポンプ収容空間にポンプが収容された状態で、外気導入孔に対向する位置に形成され、外気導入孔に連通し、
シリンダ及び／又はアダプタは、ポンプ収容空間にポンプが収容された状態で、外気導入孔及び通気孔の周囲において気密性を保つ気密部を有する（第１の構成）。
【００１７】
上記構成によれば、通気孔は、ポンプ収容空間にポンプが収容された状態で、外気導入孔に対向する位置に形成され、外気導入孔に連通する。シリンダの外面とアダプタの内面は、ポンプ収容空間にポンプが収容された状態で、気密部によって気密性が保たれる。このため、ポンプを取り付けた状態において、外気導入孔から通気孔への通気は許容され、容器本体内の負圧化を解消できる。また、外気導入孔及び通気孔の周囲は気密部でシールされ、気密が保たれているため、通気孔から内容物が気密部を超えて漏出することを抑制でき、ポンプのシリンダ外部に気密部を越えて内容物が付着することを抑制することができる。さらに、逆止弁が不要であるため、容器本体の口部とアダプタとの間の差を小さくでき、アダプタの内径を広くすることができる。このため、ポンプの付け替えを容易に行うことができる。また、アダプタの内径が広くなることにより吐出量の多いポンプであっても使用することができるため、広い用途に使用することができる。
【００１８】
上記第１の構成において、シリンダ及び／又はアダプタは、ポンプ収容空間にポンプが収容された状態で、通気孔が外気導入孔に対向するように位置決めする位置決め部を有してもよい（第２の構成）。
【００１９】
上記構成によれば、ポンプ収容空間にポンプが収容された状態で、通気孔は外気導入孔に対向するように位置決めされる。
【００２０】
本発明の一実施形態にかかるレフィル容器は、容器本体及びアダプタを備え、ポンプを装着可能であるレフィル容器であって、
容器本体は、
内容物を収容するための収容空間を内部に有する胴部と、
胴部から延びており、収容空間に連通する開口部を有するとともに、ポンプを装着可能である口部と、
を有し、
アダプタは、
ポンプを挿入可能であるポンプ挿入口が開口部側の端部に形成されるとともに、ポンプを収容するポンプ収容空間が内側に形成されており、口部に配置され、開口部から収容空間内に向けて延びるアダプタ本体と、
アダプタ本体の端部のうちポンプ挿入口とは反対側の端部に形成され、ポンプ収容空間に連通可能である吸引口と、
ポンプ収容空間と吸引口を連通させない位置である閉位置から、連通させる位置である開位置に切り替え可能であり、ポンプを装着することで閉位置から開位置に切り替えられる栓と、
アダプタ本体の側部に形成され、収容空間とポンプ収容空間を連通させる通気孔と、
を有し、
アダプタに装着可能なポンプは、
ポンプ収容空間に収容されるシリンダと、
シリンダの側部に形成される外気導入孔と、
を有し、
シリンダ及び／又はアダプタは、
ポンプ収容空間にポンプが収容された状態で、アダプタの内面とシリンダの外面との間に外気導入孔から通気孔に至るように形成され、外気導入孔及び通気孔を連通させる外気導入路と、
ポンプ収容空間にポンプが収容された状態で、外気導入路の周囲において気密性を保つ気密部を有する（第３の構成）。
【００２１】
上記構成によれば、外気導入孔及び通気孔は、ポンプ収容空間にポンプが収容された状態で、外気導入路を介して連通する。シリンダの外面とアダプタの内面は、ポンプ収容空間にポンプが収容された状態で、気密部によってシールされ、気密性が保たれる。ポンプ収容空間にポンプが収容された状態で、外気導入孔及び通気孔は、外気導入路を介して連通するため、通気孔と外気導入孔の位置決めが不要になる。また、ポンプを取り付けた状態において、外気導入孔から通気孔への通気は許容されるが、外気導入路の周囲は気密が保たれているため、通気孔から気密部を越えて内容物が漏出することを抑制でき、ポンプのシリンダ外部に内容物が気密部を超えて付着することを抑制することができる。
【００２２】
本発明の一実施形態にかかるレフィル容器は、容器本体及びアダプタを備え、ポンプを装着可能であるレフィル容器であって、
容器本体は、
内容物を収容するための収容空間を内部に有する胴部と、
胴部から延びており、収容空間に連通する開口部を有するとともに、ポンプを装着可能である口部と、
を有し、
アダプタは、
ポンプを挿入可能であるポンプ挿入口が開口部側の端部に形成されるとともに、ポンプを収容するポンプ収容空間が内側に形成されており、口部に配置され、開口部から収容空間内に向けて延びるアダプタ本体と、
アダプタ本体の端部のうちポンプ挿入口とは反対側の端部に形成され、ポンプ収容空間に連通可能である吸引口と、
ポンプ収容空間と吸引口を連通させない位置である閉位置から、連通させる位置である開位置に切り替え可能であり、ポンプを装着することで閉位置から開位置に切り替えられる栓と、
アダプタ本体の側部に形成され、収容空間とポンプ収容空間を連通させる通気孔と、
を有し、
アダプタに装着可能なポンプは、
ポンプ収容空間に収容されるシリンダと、
シリンダの側部に形成される外気導入孔と、
を有し、
アダプタは、さらに、
アダプタの内側から通気孔を介してアダプタの外側に向かう方向の通気を許容し、逆方向の通気を制限する逆止弁と、
アダプタの外面において通気孔に重なる位置に形成され、逆止弁を収容する逆止弁収容凹部と、
を有する（第４の構成）。
【００２３】
上記構成によれば、アダプタに逆止弁が設けられており、逆止弁は、逆止弁収容凹部内に配置される。このため、逆止弁をコンパクトに取り付けることができ、容器本体の口部とアダプタとの間の差を小さくして、アダプタの内径を広くすることができる。よって、ポンプの付け替えを容易に行うことができる。
【００２４】
上記第４の構成において、逆止弁収容凹部は、通気孔の周囲に形成される平坦な面である接触面を有し、
逆止弁は、接触面に接触して気密性を保つ弁部を有してもよい（第５の構成）。
【００２５】
上記構成によれば、逆止弁の弁部は、逆止弁収容凹部の平坦な接触面に接触する。弁部を平坦な接触面に均等に接触させることができ、気密性を保ちやすくなる。このため、通気孔から内容物が漏出することを抑制できる。
【００２６】
上記第１から第５のいずれかの構成において、口部の開口部を閉塞する仮キャップを備え、
仮キャップは、口部に取り付けた状態で、アダプタの内面に接触し、通気孔を閉塞するインナーリングを備えてもよい（第６の構成）。
【００２７】
上記構成によれば、仮キャップを口部に取り付けた状態で、インナーリングが通気孔を閉塞する。このため、ポンプを取り付ける前のレフィル容器の状態でも、通気孔から内容物が漏出することを抑制することができる。
【００２８】
本発明の一実施形態にかかるポンプ容器は、上記第１から第６のいずれかの構成において、ポンプを装着する（第７の構成）。
【００２９】
上記構成によれば、通気孔から内容物が漏出することを抑制することができ、ポンプのシリンダ外部に内容物が付着することを抑制することができる。
【００３０】
［実施形態１］
以下、図面を参照し、本発明の実施形態１に係るレフィル容器１００Ａ、及びポンプ容器１００Ｂを詳しく説明する。図中同一または相当部分には同一符号を付してその説明は繰り返さない。なお、説明を分かりやすくするために、以下で参照する図面においては、構成が簡略化または模式化して示されたり、一部の構成部材が省略されたりしている。また、各図に示された構成部材間の寸法比は、必ずしも実際の寸法比を示すものではない。
【００３１】
［全体構成］
まず、レフィル容器１００Ａ、及びポンプ容器１００Ｂの全体構成について説明する。図１は、本発明の実施形態１に係るレフィル容器１００Ａの正面図である。図２は、本発明の実施形態１に係るポンプ容器１００Ｂの正面図である。以下の図では、矢印Ｒはレフィル容器１００Ａ又はポンプ容器１００Ｂの右方向を示し、矢印Ｌは左方向を示す。矢印Ｕは上方向、矢印Ｄは下方向を示す。矢印Ｆは前方向、矢印Ｂは後方向を示す。
【００３２】
図１に示すように、レフィル容器１００Ａは、容器本体１０、及びアダプタ３０を備えている。容器本体１０は、胴部１４、及び口部１８を有している。容器本体１０の内部には、例えば乳液状の化粧料のように流動性を有する内容物が収容される。レフィル容器１００Ａは、未使用時には、口部１８に仮キャップ１９が取り付けられている。アダプタ３０は、容器本体１０の内部に配置されている。
【００３３】
図２に示すように、ポンプ容器１００Ｂは、レフィル容器１００Ａの仮キャップ１９を取り外し、口部１８にポンプ６０を装着して構成される。使用者はポンプ６０を押下げる操作を行うことにより、ポンプ６０から必要量の内容物を吐出させることが可能である。ポンプ容器１００Ｂを使用しない場合は、ポンプ容器１００Ｂの上部にオーバーキャップ２０を取り付けることができる。
【００３４】
［レフィル容器の構成］
図３は、レフィル容器１００Ａの正面断面図である。図３Ａは、図３のＡ―Ａ線における断面図である。容器本体１０は、胴部１４、及び口部１８を有している。胴部１４は、収容空間１２を内部に有している。収容空間１２には、内容物Ｍが収容される。本実施形態の胴部１４は、略円筒状であり、側壁部１４１、底壁部１４２、及び天壁部１４３を有している。容器本体１０は、合成樹脂素材で形成されている。容器本体１０は、例えばブロー成形法により成型することができる。
【００３５】
口部１８は、天壁部１４３に連続して形成され、上方に延びている。口部１８の内側には、収容空間１２に連通する開口部１６が形成されている。口部１８の外周面には、雄螺子部１８１、及び固定用鍔部１８２が形成されている。図３では、雄螺子部１８１には、仮キャップ１９の雌螺子部１９２が螺合している。固定用鍔部１８２は、口部１８の上端において鍔状に突出するように形成されている。
【００３６】
アダプタ３０は、第１アダプタ３１、第２アダプタ４１、及びパイプ７０を有している。
【００３７】
第１アダプタ３１は、容器本体１０の口部１８に装着されている。第１アダプタ３１は、開口部１６の内側に嵌められている。第１アダプタ３１は、開口部１６から収容空間１２内に向けて延びている。第１アダプタ３１は、口部１８の中心軸に対して回転可能に装着されている。第１アダプタ３１は、合成樹脂素材で形成されている。第１アダプタ３１は、第１アダプタ本体３２、第１吸引口３８、栓３９、及び通気孔４０を有している。
【００３８】
第１アダプタ本体３２は、第１筒状部３２１、第２筒状部３２２、及び第３筒状部３２３を有している。第１筒状部３２１、第２筒状部３２２、及び第３筒状部３２３は、それぞれ断面円形の筒状体であり、上方から下方に向けてこの順番で連続して形成されている。第１筒状部３２１の上部には、ポンプ６０を挿入可能であるポンプ挿入口３４が形成されている。
【００３９】
第２筒状部３２２の外径は、第１筒状部３２１の外径よりも小さく、第３筒状部３２３の外径は、第２筒状部３２２の外径よりも小さくなるように形成されている。第１筒状部３２１、第２筒状部３２２、及び第３筒状部３２３により、第１アダプタ本体３２の内側には、ポンプ収容空間３６が形成されている。ポンプ収容空間３６は、ポンプ挿入口３４からポンプ６０を挿入した場合にシリンダ６２を収容可能である。
【００４０】
第１筒状部３２１の外周部には、フランジ３２４が形成されている。フランジ３２４の外周部が口部１８の固定用鍔部１８２に係合することにより、第１アダプタ３１は、口部１８に対して回転可能に装着されている。第１アダプタ３１が口部１８に装着されている状態で、第１筒状部３２１の外周面は、開口部１６の内面との間に隙間を有している。
【００４１】
図３及び図３Ａに示すように、第２筒状部３２２に内面には、凹部３２８が形成されている。凹部３２８は、凸部３２９（図４及び図４Ａ参照）とともに、アダプタ３０とポンプ６０の位置決めを行う位置決め部３２７を構成する。凹部３２８は、第２筒状部３２２に内面に形成された溝であり、上方から下方に向けて伸びている。
【００４２】
第１吸引口３８は、第１アダプタ本体３２の底部に形成されている。第１吸引口３８は、第１アダプタ本体３２の底部を上下方向に貫通する円形の孔である。第１吸引口３８の周囲には、第１吸引口３８の中心方向に突出する第１突出部３８１が形成されている。
【００４３】
栓３９は、第１アダプタ本体３２の下部に配置されている。栓３９は、第１吸引口３８に差し込まれた状態で配置されている。栓３９は、第１吸引口３８に対して上下方向に移動可能である。栓３９は、栓本体３９１、底部３９３、第３吸引口３９４を有している。
【００４４】
栓本体３９１は、筒状の側部３９２を有している。筒状の側部３９２の内側には挿通空間３９５が形成されている。栓本体３９１は、第１吸引口３８に差し込まれている。栓本体３９１の上部には、側部３９２の径方向外側に突出する支持突起３９６が形成されている。支持突起３９６は、第１吸引口３８よりも外側に延びている。
【００４５】
側部３９２の上下方向の中央部には、第３吸引口３９４が複数形成されている。第３吸引口３９４は、側部３９２を貫通する孔である。第３吸引口３９４は、側部３９２の周方向に間隔を空けて形成されている。側部３９２の上下方向の中央部における外径は、第１吸引口３８よりもやや小さく設定されている。
【００４６】
側部３９２の下部には、閉塞部３９８が形成されている。閉塞部３９８は、第１吸引口３８に嵌め込まれると、第１吸引口３８の内面に密着して第１吸引口３８を塞ぐような形状に形成されている。
【００４７】
底部３９３は、栓本体３９１の下部に形成されている。底部３９３の外径は、第１吸引口３８の内径よりも大きい。
【００４８】
図３では、閉塞部３９８が、第１吸引口３８に嵌め込まれた状態となっている。この状態を、栓３９が閉位置Ｐ１にある状態とする。栓３９が閉位置Ｐ１にある状態では、第１吸引口３８は、栓３９によって塞がれている。言い換えると、第１吸引口３８は、ポンプ収容空間３６に連通していない。
【００４９】
栓３９が下方に移動した状態を、栓３９が開位置Ｐ２にある状態とする（図５参照）。栓３９が開位置Ｐ２にある状態では、第１吸引口３８は、第３吸引口３９４及び挿通空間３９５を介してポンプ収容空間３６に連通する。開位置Ｐ２では、支持突起３９６の下部が第１突出部３８１の上部に接触し、栓３９が第１吸引口３８から抜け落ちることを防止する。
【００５０】
第１アダプタ本体３２の下部の内面において、第１突出部３８１の上方には、第３筒状部３２３の内部に突出するシール部３８２が形成されている。シール部３８２は、第３筒状部３２３の内周面に沿って環状に形成されている。
【００５１】
通気孔４０は、収容空間１２とポンプ収容空間３６を連通させる貫通孔である。通気孔４０は、第１アダプタ本体３２の上部に形成されている。具体的には、通気孔４０は、第１筒状部３２１の側部に形成されている。通気孔４０は、天壁部１４３よりも上方に位置しており、口部１８の内側に位置している。通気孔４０は、ポンプ収容空間３６にポンプ６０が収容された状態で、シリンダ６２の側部に形成された外気導入孔６７に対向する位置に形成されている（図５参照）。
【００５２】
第２アダプタ４１は、収容空間１２内において、第１アダプタ３１の外側に装着されている。第２アダプタ４１は、合成樹脂素材で形成されている。第２アダプタ４１は、第２アダプタ本体４２、及び第２吸引口４６を有している。
【００５３】
第２アダプタ本体４２は、第４筒状部４２１、及び第５筒状部４２２を有している。第４筒状部４２１、及び第５筒状部４２２は、それぞれ断面円形の筒状体であり、上方から下方に向けてこの順番で連続して形成されている。第４筒状部４２１、及び第５筒状部４２２により、第２アダプタ本体４２は、第１アダプタ本体３２の外面を覆っている。本実施形態では、第４筒状部４２１は、第２筒状部３２２を覆っており、第５筒状部４２２は、第３筒状部３２３を覆っている。
【００５４】
第２吸引口４６は、第２アダプタ本体４２の下端部に形成されている。第２吸引口４６は、第１吸引口３８と収容空間１２を連通させることが可能な円形の貫通孔である。第２吸引口４６の周囲には、下方に向けてパイプ支持部４６１が延びている。パイプ支持部４６１は、筒状であり、第２吸引口４６に連通している。
【００５５】
パイプ７０は、収容空間１２内に配置され、パイプ支持部４６１に支持されている。パイプ７０は、第２吸引口４６から収容空間１２の下部に向けて延びている。パイプ７０は、第２吸引口４６、第１吸引口３８、第３吸引口３９４、及び挿通空間３９５を介してポンプ収容空間３６に連通している。尚、パイプ７０は第２アダプタ４１とは別の部材としたが、第２アダプタ４１と一体に形成してもよい。
【００５６】
第２筒状部３２２の上部の外面、及び第４筒状部４２１の上部の内面には、それぞれ周面に沿って環状の突起が形成されている。これらの突起は、第１アダプタ３１に第２アダプタ４１が取り付けられた状態で係合して、第１アダプタ３１に対して第２アダプタ４１が抜け落ちることを防止する。これにより、第１アダプタ３１に第２アダプタ４１が取り付けられた状態が維持される。
【００５７】
仮キャップ１９には、インナーリング１９４が設けられている。インナーリング１９４は、筒状であり、下方に伸びている。インナーリング１９４は、雌螺子部１９２よりも内側に形成されている。インナーリング１９４の長さは、容器本体１０の口部１８に仮キャップ１９が取り付けられた状態で、インナーリング１９４の下端が通気孔４０よりも下方に位置する長さを有している。インナーリング１９４の外面は、口部１８に仮キャップ１９が取り付けられた状態で、第１アダプタ本体３２の内面に密着し、通気孔４０を内側から閉塞する。インナーリング１９４は、通気孔４０を内側から閉塞することで、レフィル容器１００Ａの状態で、内容物Ｍが通気孔４０を介して収容空間１２からポンプ収容空間３６に漏出することを抑制する。
【００５８】
図４は、レフィル容器１００Ａにポンプ６０を取り付ける前の状態を示す正面断面図である。図４Ａは、図４のＢ−Ｂ線における断面図である。図４では、レフィル容器１００Ａの仮キャップ１９は取り外されている。本実施形態のポンプ６０は、主にポンプキャップ６１、シリンダ６２、及びヘッド６３を有している。
【００５９】
ポンプキャップ６１の内周面には、容器本体１０の雄螺子部１８１と螺合する雌螺子部６４が形成されている。
【００６０】
シリンダ６２は、ポンプキャップ６１の内側に固定されている。シリンダ６２の下端にはポンプ吸引口６６が形成されている。シリンダ６２の側部には外気導入孔６７が形成されている。外気導入孔６７は、外気を容器本体１０内に導入して容器本体１０内の負圧化を解消するための孔である。
【００６１】
図４及び図４Ａに示すように、シリンダ６２の側面には、凸部３２９が形成されている。凸部３２９は、凹部３２８（図３及び図３Ａ参照）とともに、位置決め部３２７を構成する。凸部３２９は、シリンダ６２の側面に形成された突条であり、上方から下方に向けて伸びている。凸部３２９は、アダプタ３０にポンプ６０を挿入した状態で、凹部３２８に組み合わされ、アダプタ３０の通気孔４０にシリンダ６２の外気導入孔６７を対向させるように形成されている。
【００６２】
シリンダ６２の内部には、ステム弁６２１、ピストン弁６２２、ボール６２３、スプリング６２４などが配置されている。ヘッド６３は、ノズル６３１、ステム軸６３２などを備え、ポンプキャップ６１の上部に配置されている。尚、ポンプ６０の構成については、従来公知のポンプと同様であるため、各構成の詳細な説明は省略する。
【００６３】
図５は、レフィル容器１００Ａにポンプ６０を取り付けてポンプ容器１００Ｂを構成した状態を示す正面断面図である。図５に示すように、ポンプ６０は、アダプタ３０のポンプ挿入口３４から挿入され、容器本体１０の口部１８に装着されている。アダプタ３０のポンプ収容空間３６には、ポンプ６０のシリンダ６２が収容されている。
【００６４】
レフィル容器１００Ａにポンプ６０を取り付ける場合、シリンダ６２をポンプ収容空間３６に挿入し、ポンプキャップ６１を回転させて、ポンプキャップ６１の雌螺子部６４を容器本体１０の雄螺子部１８１に螺合させる。シリンダ６２はポンプキャップ６１とともに回転し、位置決め部３２７の凹部３２８及び凸部３２９が組み合わされる。さらにポンプキャップ６１を回転させると、位置決め部３２７が組み合わされているためアダプタ３０とシリンダ６２が共に回転する。ポンプキャップ６１が口部１８に取り付けられると、位置決め部３２７により、第１アダプタ本体３２に形成された通気孔４０は、シリンダ６２の外気導入孔６７に対向した状態となる。尚、ポンプキャップ６１が口部１８に取り付けられると、アダプタ３０のフランジ３２４は口部１８に密着してアダプタ３０と容器本体１０の気密状態が保たれる。
【００６５】
レフィル容器１００Ａにポンプ６０を取り付けた状態では、シリンダ６２の外面と第１アダプタ本体３２の内面は、外気導入孔６７及び通気孔４０の周囲において接触して気密部７５を構成する。気密部７５によって外気導入孔６７及び通気孔４０の周囲がシールされ、気密性が保たれるため、外気導入孔６７から導入される外気は、通気孔４０を介して収容空間１２に導入されることとなる。また、内容物Ｍが通気孔４０を介して収容空間１２からポンプ収容空間３６に漏出しても、内容物Ｍはシリンダ６２の外気導入孔６７に抜けていくか、シリンダ６２の外気導入孔６７付近に付着するだけであり、気密部７５によってシリンダ６２の他の部分に付着することが抑制される。尚、本実施形態では、気密部７５はシリンダ６２の外面と第１アダプタ本体３２の内面が接触することで構成されるとしたが、例えば、シリンダ６２の外面、又は第１アダプタ本体３２の内面に、外気導入孔６７及び通気孔４０の周囲を取り囲むように環状の突起を設け、環状の突起と面とが接触することで気密性を保つようにしてもよい。
【００６６】
アダプタ３０のポンプ収容空間３６にポンプ６０のシリンダ６２を挿入すると、シリンダ６２の下端が栓３９を下方に移動させる。図５では、栓３９は、シリンダ６２を挿入する前の閉位置Ｐ１（図３参照）から、開位置Ｐ２に移動している。つまり、容器本体１０にポンプ６０を装着することで、栓３９は、閉位置Ｐ１から開位置Ｐ２に切り替えられる。栓３９が開位置Ｐ２に切り替えられることにより、ポンプ吸引口６６は、挿通空間３９５、第３吸引口３９４、第１吸引口３８、第２吸引口４６、及びパイプ７０を介して収容空間１２に連通した状態となる。
【００６７】
また、アダプタ３０のポンプ収容空間３６にポンプ６０のシリンダ６２を挿入すると、シリンダ６２の下部の外周面と、第１アダプタ３１の下部に形成したシール部３８２が密着する。シリンダ６２とシール部３８２が密着することにより、内容物がシリンダ６２と第１アダプタ３１の間に浸入することが抑制され、シリンダ６２の外部に内容物が付着することを抑制することができる。
【００６８】
［動作］
次に、ポンプ６０の吐出動作と吸引動作（ポンピング動作）について説明する。図６は、ポンプを操作して内容物を吐出する状態を示す正面断面図である。図７は、内容物を吐出した後の状態を示す正面断面図である。尚、ヘッド６３が押圧されていない状態（図５参照）において、シリンダ６２の内部には、すでに内容物Ｍが吸引されているものとする。
【００６９】
図６に示すように、ヘッド６３を押下げると、シリンダ６２の内部に吸引されていた内容物Ｍがノズル６３１から吐出される。ヘッド６３が押下げられると、シリンダ６２の側部に形成された外気導入孔６７が開き、外気がアダプタ３０のポンプ収容空間３６に導入される。導入された外気は、矢印Ｆで示すように、通気孔４０を介して収容空間１２に導入される。
【００７０】
図７に示すように、ヘッド６３を押下げた状態から解放すると、ヘッド６３は、スプリング６２４の付勢力により上昇する。シリンダ６２内部は負圧となり、内容物Ｍは、パイプ７０の下端からシリンダ６２の内部に吸引される。
【００７１】
上述のようなポンピング動作を繰り返すことにより、容器本体１０に収容されていた内容物Ｍはノズル６３１から吐出されて減少する。内容物Ｍが減少しても、ポンピング動作の度に外気は通気孔４０を介して収容空間１２に導入されているため、収容空間１２とポンプ収容空間３６との間の気圧差は生じにくく、気圧差が生じても速やかに解消される。つまり、収容空間１２内部の負圧化が抑制される。
【００７２】
上述のように、内容物Ｍが通気孔４０を介して収容空間１２からポンプ収容空間３６に漏出しても、内容物Ｍはシリンダ６２の外気導入孔６７に抜けていくか、シリンダ６２の外気導入孔６７付近に付着するだけであり、シリンダ６２の他の部分に付着することが抑制される。このため、収容空間１２からポンプ収容空間３６に内容物Ｍが漏出することを抑制し、ポンプ６０のシリンダ６２外部に内容物Ｍが付着することを抑制することができる。
【００７３】
容器本体１０に収容された内容物Ｍを使い切った場合は、ポンプ６０を新たなレフィル容器１１０に付け替えて、ポンプ６０を再利用することができる。ポンプ６０のシリンダ６２外部には、内容物Ｍが付着していないため、ポンプ６０を衛生的に再利用することができる。また、ポンプ６０を付け替える際にパイプ７０を抜き差しする必要がなく、かつ、アダプタ３０のポンプ挿入口３４が広く形成されているため、再利用したポンプ６０を新たなレフィル容器１００Ａに容易に取り付けることができる。
【００７４】
［実施形態１の効果］
レフィル容器１００Ａ及びポンプ容器１００Ｂによれば、通気孔４０は、ポンプ収容空間３６にポンプ６０が収容された状態で、外気導入孔６７に対向する位置に形成され、外気導入孔６７に連通する。シリンダの外面とアダプタの内面は、ポンプ収容空間３６にポンプ６０が収容された状態で、気密部７５によってシールされ、気密性が保たれる。このため、ポンプ６０を取り付けた状態において、外気導入孔６７から通気孔４０への通気は許容され、容器本体１０内の負圧化を解消できる。また、外気導入孔６７及び通気孔４０の周囲は気密部７５でシールされ、気密が保たれているため、通気孔４０から内容物Ｍが気密部７５を超えて漏出することを抑制でき、ポンプ６０のシリンダ６２外部に内容物Ｍが気密部７５を超えて付着することを抑制することができる。さらに、逆止弁が不要であるため、容器本体１０の口部１８とアダプタ３０との間の差を小さくでき、アダプタ３０の内径を広くすることができる。このため、ポンプ６０の付け替えを容易に行うことができる。また、アダプタ３０の内径が広くなることにより吐出量の多いポンプ６０であっても使用することができるため、広い用途に使用することができる。
【００７５】
レフィル容器１００Ａ及びポンプ容器１００Ｂによれば、ポンプ収容空間３６にポンプ６０が収容された状態で、位置決め部３２７により、通気孔４０は外気導入孔６７に対向するように位置決めされる。
【００７６】
レフィル容器１００Ａ及びポンプ１００Ｂによれば、仮キャップ１９を口部１８に取り付けた状態で、インナーリング１９４が通気孔４０を閉塞する。このため、ポンプ６０を取り付ける前のレフィル容器１００Ａの状態でも、通気孔４０から内容物Ｍが漏出することを抑制することができる。
【００７７】
［実施形態２］
実施形態２のレフィル容器２００Ａ、及びポンプ容器２００Ｂでは、ポンプ収容空間３６にポンプ６０が収容された状態で、外気導入孔６７及び通気孔４０は、外気導入路６８を介して連通する点、及び位置決め部が形成されていない点で実施形態１のレフィル容器１００Ａ、及びポンプ容器１００Ｂとは異なる。以下の説明において、実施形態１と同様の構成には同一の符号を付して説明を省略し、実施形態１と異なる構成についてのみ説明する。
【００７８】
図８は、レフィル容器２００Ａにポンプ６０を取り付けてポンプ容器２００Ｂを構成した状態を示す正面断面図である。図８に示すように、シリンダ６２の外面には凹部６２６が形成されている。凹部６２６は、シリンダ６２の外面に沿って周方向に環状に形成されている。凹部６２６には、外気導入孔６７が形成されている。凹部６２６は、ポンプ収容空間３６にポンプ６０が収容された状態で、第１アダプタ本体３２に形成された通気孔４０に対向する位置に形成されている。
【００７９】
レフィル容器２００Ａにポンプ６０を取り付けた状態では、シリンダ６２の外面と第１アダプタ本体３２の内面は、凹部６２６の周囲において接触して気密部２７５を構成する。具体的には、凹部６２６よりも上方のシリンダ６２の外面と、凹部６２６よりも下方のシリンダ６２の外面が第１アダプタ本体３２の内面に接触して気密部２７５を構成する。気密部２７５によって凹部６２６の上部及び下部がシールされ、気密性が保たれる。このため、シリンダ６２の外面、第１アダプタ本体３２の内面、及び凹部６２６によって外気導入路６８が形成されている。
【００８０】
ポンプ収容空間３６にシリンダ６２が収容されている状態で、外気導入孔６７及び通気孔４０は外気導入路６８を介して連通している。このため、ポンプ収容空間３６にシリンダ６２が収容されている状態で、通気孔４０と外気導入孔６７が対向していなくても、外気導入孔６７及び通気孔４０は外気導入路６８を介して連通する。
【００８１】
外気導入孔６７から導入される外気は、外気導入路６８及び通気孔４０を介して収容空間１２に導入されることとなる。また、内容物Ｍが通気孔４０を介して収容空間１２からポンプ収容空間３６に漏出しても、内容物Ｍは外気導入路６８を介して外気導入孔６７に抜けていくか、外気導入路６８７付近に付着するだけであり、気密部２７５によってシリンダ６２の他の部分に付着することが抑制される。尚、本実施形態では、気密部２７５はシリンダ６２の外面と第１アダプタ本体３２の内面が接触することで構成されるとしたが、例えば、シリンダ６２の外面、第１アダプタ本体３２の内面に、凹部６２６の周囲を取り囲むように突条を設けてもよい。また、凹部６２６は、シリンダ６２の外面ではなく第１アダプタ本体３２の内面に形成されていてもよい。また、凹部６２６を形成せずに、シリンダ６２の外面、又は第１アダプタ本体３２の内面に突条を形成することで、シリンダ６２及び第１アダプタ本体３２の間に外気導入路６８を形成してもよい。
【００８２】
［実施形態２の効果］
レフィル容器２００Ａ及びポンプ容器２００Ｂによれば、外気導入孔６７及び通気孔４０は、ポンプ収容空間３６にポンプ６０が収容された状態で、外気導入路６８を介して連通する。シリンダ６２の外面とアダプタ３０の内面は、ポンプ収容空間３６にポンプ６０が収容された状態で、気密部２７５によってシールされ、気密性が保たれる。ポンプ収容空間３６にポンプ６０が収容された状態で、外気導入孔６７及び通気孔４０は、外気導入路６８を介して連通するため、通気孔４０と外気導入孔６７の位置決めが不要になる。また、ポンプ６０を取り付けた状態において、外気導入孔６７から通気孔４０への通気は許容されるが、外気導入路６８の周囲は気密が保たれているため、通気孔４０から気密部２７５を越えて内容物Ｍが漏出することを抑制でき、ポンプ６０のシリンダ６２外部に内容物Ｍが気密部２７５を超えて付着することを抑制することができる。
【００８３】
レフィル容器２００Ａ及びポンプ容器２００Ｂによれば、外気導入路６８は、シリンダ６２の外面に形成される凹部６２６と、第１アダプタ本体３２の内面とで形成されるため、外気導入路６８を形成するための位置合わせが容易になる。
【００８４】
［実施形態３］
実施形態３のレフィル容器３００Ａ、及びポンプ容器３００Ｂでは、アダプタ２３０に逆止弁８１が設けられている点、逆止弁８１が逆止弁収容凹部２４７に収容されている点で実施形態１、２とは異なる。以下の説明において、実施形態１と同様の構成には同一の符号を付して説明を省略し、実施形態１と異なる構成についてのみ説明する。
【００８５】
図９は、レフィル容器３００Ａにポンプ６０を取り付けてポンプ容器３００Ｂを構成した状態を示す正面断面図である。図９Ａは、図９のＣ−Ｃ線におけるシリンダ６２及びアダプタ２３０の断面図である。図９に示すように、アダプタ２３０は、アダプタ本体２３２を有している。アダプタ本体２３２の上部には、フランジ２３４が形成されている。アダプタ２３０は、フランジ２３４が口部１８の上部に配置されており、容器本体１０の口部１８に装着されている。アダプタ２３０の外面と口部１８の内面の間には、隙間２４２が形成されている。
【００８６】
吸引口２３８は、アダプタ本体２３２の底部に形成されている。吸引口２３８は、アダプタ本体２３２の底部を上下方向に貫通する円形の孔である。吸引口２３８の下部には、下方に向けてパイプ支持部２６１が延びている。パイプ支持部２６１には、パイプ７０が支持されている。
【００８７】
栓２３９は、アダプタ本体２３２の下部に配置されている。栓２３９は、吸引口２３８に差し込まれた状態で配置されている。栓２３９は、吸引口２３８に対して上下方向に移動可能である。栓２３９は、栓本体２３９１、吸引口２３９４、及び閉塞部２３９８を有している。
【００８８】
栓本体２３９１は、筒状の第１側部２３９２Ａ及び第２側部２３９２Ｂを有している。第１側部２３９２Ａ及び第２側部２３９２Ｂの内側には挿通空間２３９５が形成されている。第２側部２３９２Ｂは、吸引口２３８に差し込まれている。
【００８９】
第１側部２３９２Ａ及び第２側部２３９２Ｂには、吸引口２３９４が形成されている。吸引口２３９４は、第１側部２３９２Ａ及び第２側部２３９２Ｂを径方向に貫通する長孔である。吸引口２３９４は、第１側部２３９２Ａ及び第２側部２３９２Ｂの周方向に間隔を空けて複数形成されている。
【００９０】
第２側部２３９２Ｂの下部には、閉塞部２３９８が形成されている。閉塞部２３９８は、吸引口２３８に嵌め込まれると、吸引口２３８の内面に密着して吸引口２３８を塞ぐような形状に形成されている。
【００９１】
図９では、栓２３９が下方に移動した状態を示している。この状態を栓２３９が開位置Ｐ２にある状態とする。栓２３９が開位置Ｐ２にある状態では、吸引口２３８は、吸引口２３９４及び挿通空間２３９５を介してポンプ収容空間３６に連通する。開位置Ｐ２では、第２側部２３９２Ｂ及び閉塞部２３９８は、パイプ７０の内部に差し込まれるが、第２側部２３９２Ｂ及び閉塞部２３９８の外径は、パイプ７０の内径よりも小さく設定されているため、内容物Ｍの吸引を妨げることはない。
【００９２】
図９における栓２３９の状態（開位置Ｐ２）よりも、栓２３９が上方に位置しており、閉塞部２３９８が吸引口２３８に嵌め込まれた状態を、栓２３９が閉位置Ｐ１にある状態とする（図示せず）。栓２３９が閉位置Ｐ１にある状態では、吸引口２３８は、栓２３９の閉塞部２３９８によって塞がれている。栓２３９が閉位置Ｐ１にある状態において、アダプタ２３０のポンプ収容空間３６にポンプ６０のシリンダ６２を挿入すると、シリンダ６２の下端が栓２３９を押し下げて開位置Ｐ２に移動させる。
【００９３】
アダプタ本体２３２には、通気孔４０及び逆止弁収容凹部２４７が形成されている。逆止弁収容凹部２４７は、アダプタ本体２３２の外面に形成されている。逆止弁収容凹部２４７は、アダプタ２３０が口部１８に取り付けられた状態で、容器本体１０の開口部１６の内側に位置するように形成されている。逆止弁収容凹部２４７は、アダプタ本体２３２の径方向から見て円形の凹部である。逆止弁収容凹部２４７には、接触面２４８が形成されている。接触面２４８は、アダプタ本体２３２の径方向から見て円形の面である。図９及び図９Ａに示すように、接触面２４８は平坦な面である。つまり、逆止弁収容凹部２４７は、曲面であるアダプタ本体２３２の外面に形成された凹部であり、凹部の底（図９及び図９Ａでは左面）となる接触面２４８は平坦な面である。
【００９４】
通気孔４０は、逆止弁収容凹部２４７の接触面２４８の中心部を貫通するように形成されている。つまり、逆止弁収容凹部２４７と通気孔４０は、アダプタ２３０の径方向から見て重なるように形成されている。
【００９５】
通気孔４０には、逆止弁８１が設けられている。逆止弁８１は、通気孔４０を開閉する逆止弁として動作する。逆止弁８１は、ポンプ収容空間３６から収容空間１２に向かう方向には外気の導入を可能とし、収容空間１２からポンプ収容空間３６に向かう方向には内容物Ｍの漏出を抑制する。
【００９６】
図９Ａに示すように、逆止弁８１は、保持軸８２、及び弁部８３を有している。逆止弁８１はシリコンゴムなどの弾性体で形成されている。保持軸８２は、通気孔４０に差し込まれており、逆止弁８１を通気孔４０に保持させている。保持軸８２の長さは、先端がアダプタ２３０の内部に突出しないように設定されている。保持軸８２の側面には、軸方向に伸びる溝部８２１が複数形成されている。溝部８２１は、通気孔４０との間に隙間を形成する。外気導入孔６７から導入された外気は、この隙間を通って収容空間１２に導入可能である。
【００９７】
弁部８３は、保持軸８２の端部に一体的に形成されている。弁部８３は、断面視では、保持軸８２の自由端側に湾曲した傘状の形状である。弁部８３は、側面視（図９Ａにおいてアダプタ２３０の径方向）では、円形である。弁部８３は、逆止弁収容凹部２４７の内側に配置されている。具体的には、弁部８３は、アダプタ２３０の径方向から見て逆止弁収容凹部２４７の内側に収容される直径を有しており、また、アダプタ２３０の外面から外方に突出せず、断面視で逆止弁収容凹部２４７の内側に収容される厚みを有している。
【００９８】
弁部８３の周縁部は、逆止弁収容凹部２４７の接触面２４８に弾性的に密着して、通気孔４０を閉塞している。接触面２４８は平坦な面であるため、弁部８３と接触面２４８を均等な接圧で接触させることができ、気密性を保つことができる。弁部８３は、内容物Ｍがポンプ６０によって吐出され、収容空間１２内部が負圧化すると圧力差により弾性変形して接触面２４８との間に隙間を生じさせ、通気孔４０からの外気導入を許容する。また、弁部８３は、収容空間１２からポンプ収容空間３６に向かう方向には内容物Ｍの漏出を抑制する。
【００９９】
［実施形態３の効果］
レフィル容器３００Ａ及びポンプ容器３００Ｂによれば、アダプタ２３０に逆止弁８１が設けられており、逆止弁８１は、逆止弁収容凹部２４７内に配置される。このため、逆止弁８１をコンパクトに取り付けることができ、容器本体１０の口部１８とアダプタ２３０との間の径の差を小さくして、アダプタ２３０の内径を広くすることができる。よって、ポンプ６０の付け替えを容易に行うことができる。
【０１００】
レフィル容器３００Ａ及びポンプ容器３００Ｂによれば、逆止弁収容凹部２４７は、アダプタ２３０が口部１８に取り付けられた状態で、容器本体１０の開口部１６の内側に位置するように形成されている。アダプタ２３０の外面と開口部１６の内面との隙間２４２には、内容物Ｍが、例えば毛細管現象によって伝わってくることがあるが、逆止弁収容凹部２４７が形成される部分は、アダプタ２３０の外面と開口部１６の内面との間隔が広がっている。このため、アダプタ２３０と開口部１６との隙間を伝わってくる内容物Ｍが逆止弁収容凹部２４７内まで到達しにくい。このため、通気孔４０から内容物Ｍが漏出することを抑制できる。
【０１０１】
レフィル容器３００Ａ及びポンプ容器３００Ｂによれば、逆止弁８１の弁部８３は、逆止弁収容凹部２４７の平坦な接触面２４８に接触する。弁部８３を平坦な接触面２４８に均等に接触させることができ、気密性を保ちやすくなる。このため、このため、通気孔４０から内容物Ｍが漏出することを抑制できる。
【０１０２】
［実施形態４］
実施形態４のレフィル容器４００Ａ、及びポンプ容器４００Ｂでは、逆止弁４８１が逆止弁収容凹部２４７に保持されている点で実施形態３のレフィル容器３００Ａ及びポンプ容器３００Ｂとは異なる。以下の説明において、実施形態３と同様の構成には同一の符号を付して説明を省略し、実施形態３と異なる構成についてのみ説明する。
【０１０３】
図１０は、レフィル容器４００Ａにポンプ６０を取り付けてポンプ容器４００Ｂを構成した状態を示す正面断面図である。図１０に示すように、逆止弁４８１は逆止弁収容凹部２４７に保持されている。逆止弁４８１は、弁部４８３及び保持部４８４を有している。弁部４８３は、傘状の形状である。弁部４８３の中心部には、弁部４８３を貫通するスリット４８５が形成されている。スリット４８５は通常は閉じている。スリット４８５は、弁部４８３が弾性変形することにより開いて隙間を生じさせる。保持部４８４は、弁部４８３の周縁部に対して鍔状に形成されている。逆止弁４８１は、保持部４８４の周縁部が逆止弁収容凹部２４７の接触面２４８及び内側面２４９に付勢された状態で接触することにより、気密性を保ちながら逆止弁収容凹部２４７の内側に保持されている。
【０１０４】
弁部４８３のスリット４８５は通常は閉じて通気孔４０を閉塞している。内容物Ｍがポンプ６０によって吐出され、収容空間１２内部が負圧化すると、圧力差によって弁部４８３が外方に膨らむように弾性変形し、スリット４８５が開いて隙間を生じさせ、通気孔４０からの外気導入を許容する。また、弁部８３は、収容空間１２からポンプ収容空間３６に向かう方向には内容物Ｍの漏出を抑制する。
【０１０５】
［実施形態４の効果］
レフィル容器４００Ａ及びポンプ容器４００Ｂによれば、逆止弁４８１は、逆止弁収容凹部２４７に保持される。このため、逆止弁４８１の取り付けが容易になるとともに、逆止弁４８１をコンパクトに取り付けることができる。
【０１０６】
［変形例］
本発明に係るレフィル容器、及びポンプ容器は、上記説明した本実施形態に限定されない。例えば、容器本体１０の形状は、本実施形態の形状に限定されない。
【０１０７】
アダプタ３０に形成した通気孔４０は、本実施形態では１箇所に形成したが、これに限定されない。例えば、複数箇所に形成してもよい。また、通気孔４０を複数設ける場合には、アダプタ３０の周方向に等間隔に形成してもよく、偏った位置に形成してもよい。
【０１０８】
実施形態３、及び実施形態４では、単一のアダプタ２３０を用いたが、実施形態１、２のように、アダプタ２３０を第１アダプタ及び第２アダプタで構成してもよい。この場合、例えば、内側の第１アダプタに通気孔４０を形成し、外側の第２アダプタに逆止弁収容凹部２４７を形成してもよい。
【０１０９】
実施形態３、及び実施形態４では、通気孔４０と外気導入孔６７は互いに対向する位置に形成したが、互いに対向しない位置に形成されていてもよい。
【０１１０】
また、実施形態３、及び実施形態４において、通気孔４０の上方及び下方に、それぞれアダプタ本体２３２の内周面に沿った環状の突条を形成し、これらの突条をシリンダ６２の外面に接触させ、シリンダ６２及びアダプタ本体２３２の間に外気導入路１６８を形成するようにしてもよい。
【０１１１】
上記実施形態等から把握できる技術的思想について、その効果とともに記載する。
【０１１２】
容器本体及びアダプタを備え、ポンプを装着可能であるレフィル容器であって、
前記容器本体は、
内容物を収容するための収容空間を内部に有する胴部と、
前記胴部から延びており、前記収容空間に連通する開口部を有するとともに、前記ポンプを装着可能である口部と、
を有し、
前記アダプタは、
前記開口部の内側に配置され、前記開口部から前記収容空間内に向けて延びる第１アダプタと、
前記第１アダプタの外側に装着される第２アダプタと、
を有し、
前記第１アダプタは、さらに、
前記ポンプを挿入可能であるポンプ挿入口が前記開口部側の端部に形成されるとともに、前記ポンプを収容するポンプ収容空間が内側に形成される第１アダプタ本体と、
前記第１アダプタ本体の端部のうち前記ポンプ挿入口とは反対側の端部に形成され、前記ポンプ収容空間に連通可能である第１吸引口と、
前記ポンプ収容空間と前記第１吸引口を連通させない位置である閉位置から、連通させる位置である開位置に切り替え可能であり、前記ポンプを装着することで前記閉位置から前記開位置に切り替えられる栓と、
第１アダプタ本体の側部に形成され、前記収容空間と前記ポンプ収容空間を連通させる通気孔と、
を有し、
前記第２アダプタは、さらに、
前記第１アダプタ本体の外面のうち、前記第１吸引口よりも前記ポンプ挿入口側の位置から前記第１吸引口までを覆う第２アダプタ本体と、
前記第２アダプタ本体の端部のうち前記ポンプ挿入口側とは反対側の端部に形成され、前記第１吸引口に連通する第２吸引口と、
を有し、
前記アダプタに装着可能な前記ポンプは、
前記ポンプ収容空間に収容されるシリンダと、
前記シリンダの側部に形成される外気導入孔と、
を有し、
前記通気孔は、前記ポンプ収容空間に前記ポンプが収容された状態で、前記外気導入孔に対向する位置に形成され、前記外気導入孔に連通し、
前記シリンダ及び／又は前記第１アダプタは、前記ポンプ収容空間に前記ポンプが収容された状態で、前記外気導入孔及び前記通気孔の周囲において気密性を保つ気密部を有する、
レフィル容器。
【０１１３】
上記構成によれば、ポンプを取り付けた状態において、外気導入孔から通気孔への通気は許容され、容器本体内の負圧化を解消できる。また、外気導入孔及び通気孔の周囲は気密部で気密が保たれているため、通気孔から気密部を越えて内容物が漏出することを抑制でき、ポンプのシリンダ外部に内容物が気密部を超えて付着することを抑制することができる。さらに、逆止弁が不要であるため、容器本体の口部とアダプタとの間の差を小さくでき、アダプタの内径を広くすることができる。このため、ポンプの付け替えを容易に行うことができる。また、アダプタの内径が広くなることにより吐出量の多いポンプであっても使用することができるため、広い用途に使用することができる。
【０１１４】
容器本体及びアダプタを備え、ポンプを装着可能であるレフィル容器であって、
前記容器本体は、
内容物を収容するための収容空間を内部に有する胴部と、
前記胴部から延びており、前記収容空間に連通する開口部を有するとともに、前記ポンプを装着可能である口部と、
を有し、
前記アダプタは、
前記開口部の内側に配置され、前記開口部から前記収容空間内に向けて延びる第１アダプタと、
前記第１アダプタの外側に装着される第２アダプタと、
を有し、
前記第１アダプタは、さらに、
前記ポンプを挿入可能であるポンプ挿入口が前記開口部側の端部に形成されるとともに、前記ポンプを収容するポンプ収容空間が内側に形成される第１アダプタ本体と、
前記第１アダプタ本体の端部のうち前記ポンプ挿入口とは反対側の端部に形成され、前記ポンプ収容空間に連通可能である第１吸引口と、
前記ポンプ収容空間と前記第１吸引口を連通させない位置である閉位置から、連通させる位置である開位置に切り替え可能であり、前記ポンプを装着することで前記閉位置から前記開位置に切り替えられる栓と、
第１アダプタ本体の側部に形成され、前記収容空間と前記ポンプ収容空間を連通させる通気孔と、
を有し、
前記第２アダプタは、さらに、
前記第１アダプタ本体の外面のうち、前記第１吸引口よりも前記ポンプ挿入口側の位置から前記第１吸引口までを覆う第２アダプタ本体と、
前記第２アダプタ本体の端部のうち前記ポンプ挿入口側とは反対側の端部に形成され、前記第１吸引口及び前記パイプに連通する第２吸引口と、
を有し、
前記アダプタに装着可能な前記ポンプは、
前記ポンプ収容空間に収容されるシリンダと、
前記シリンダの側部に形成される外気導入孔と、
を有し、
前記シリンダ及び／又は前記第１アダプタは、
前記ポンプ収容空間に前記ポンプが収容された状態で、前記第１アダプタの内面と前記シリンダの外面との間に前記外気導入孔から前記通気孔に至るように形成され、前記外気導入孔及び前記通気孔を連通させる外気導入路と、
前記ポンプ収容空間に前記ポンプが収容された状態で、前記外気導入路の周囲において気密性を保つ気密部を有する、
レフィル容器。
【０１１５】
上記構成によれば、外気導入孔及び通気孔は、ポンプ収容空間にポンプが収容された状態で、外気導入路を介して連通する。シリンダの外面とアダプタの内面は、ポンプ収容空間にポンプが収容された状態で、気密部によってシールされ、気密性が保たれる。ポンプ収容空間にポンプが収容された状態で、外気導入孔及び通気孔は、ポンプ収容空間にポンプが収容された状態で、外気導入路を介して連通するため、通気孔と外気導入孔の位置決めが不要になる。また、ポンプを取り付けた状態において、外気導入孔から通気孔への通気は許容されるが、外気導入路の周囲は気密が保たれているため、通気孔から気密部を越えて内容物が漏出することを抑制でき、ポンプのシリンダ外部に内容物が気密部を超えて付着することを抑制することができる。
【０１１６】
以上、本発明の実施形態を説明したが、上述した実施形態は本発明を実施するための例示に過ぎない。よって、本発明は上述した実施形態に限定されることなく、その趣旨を逸脱しない範囲内で上述した実施形態を適宜変形して実施することが可能である。  
【符号の説明】
【０１１７】
１００Ａ  レフィル容器
１００Ｂ  ポンプ容器
１０    容器本体
１２    収容空間
１６    開口部
３０    アダプタ
３６    ポンプ収容空間
３９    栓
４０    通気孔
６０    ポンプ
６２    シリンダ
Ｐ１    閉位置
Ｐ２    開位置
Ｍ      内容物
【要約】
【課題】アダプタの通気孔から内容物が漏出して、ポンプのシリンダ外部に内容物が付着することを抑制しつつ、ポンプの付け替えが容易で、かつ、広い用途に使用することができるレフィル容器及びポンプ容器を提供する。
【解決手段】レフィル容器１００Ａのアダプタ３０は通気孔４０を有し、アダプタ３０に装着可能なポンプ６０は、シリンダ６２の側部に形成される外気導入孔６７を有する。通気孔４０は、アダプタ３０のポンプ収容空間３６にポンプ６０が収容された状態で、外気導入孔６７に対向する位置に形成され、外気導入孔６７に連通する。シリンダ６２及び／又はアダプタ３０は、ポンプ収容空間３６にポンプ６０が収容された状態で、外気導入孔６７及び通気孔４０の周囲において気密性を保つ気密部７５を有する。
【選択図】図５【図１】
0006023861.tif 000002
【図２】
0006023861.tif 000003
【図３】
0006023861.tif 000004
【図３Ａ】
0006023861.tif 000005
【図４】
0006023861.tif 000006
【図４Ａ】
0006023861.tif 000007
【図５】
0006023861.tif 000008
【図６】
0006023861.tif 000009
【図７】
0006023861.tif 000010
【図８】
0006023861.tif 000011
【図９】
0006023861.tif 000012
【図９Ａ】
0006023861.tif 000013
【図１０】
0006023861.tif 000014